(57)【要約】  本発明は、非常用サイトと呼ばれる所定の場所に配置されるように備えられた、応急手当用機器へのアクセス用デバイス（１００、２００、２００ａ〜２００ｃ）であって、以下：少なくとも２つの区画（１０２〜１０６）であって、区画（１０２〜１０６）の各々が少なくとも１つの応急手当用機器を収容するように設けられかつ独立して開放されるように配置されている、前記区画（１０２〜１０６）と、離れたサイトに対して少なくとも１つの前記区画（１０２〜１０６）の開放を要求するための、中央と呼ばれる離れたサイトとの通信手段（１２０〜１２８）と、及び各区画が他の区画から独立して開放されることができるように遠隔でかつ独立に制御されることができる、前記区画（１０２〜１０６）の各々に対する施錠手段と、を含むことを特徴とする前記デバイスに関する。本発明は、本発明に係る複数のデバイスを実装する応急手当用機器へのアクセスシステムにも関する。
2013526118.tif 000002
【特許請求の範囲】
【請求項１】
非常用サイトと呼ばれる所定の場所に配置されるように備えられた、応急手当用機器へのアクセス用デバイス（１００、２００、２００ａ〜２００ｃ）であって、以下：
−  少なくとも２つの区画（１０２〜１０６）であって、区画（１０２〜１０６）の各々が少なくとも１つの応急手当用機器を収容するように設けられかつ独立して開放されることができるように配置されている、前記区画（１０２〜１０６）と、
−  離れたサイトに対して少なくとも１つの前記区画（１０２〜１０６）の開放を要求するための、中央と呼ばれる離れたサイトとの通信手段（１２０〜１２８）と、及び
−  各区画が他の区画から独立して開放されることができるように遠隔でかつ独立に制御されることができる、前記区画（１０２〜１０６）の各々に対する施錠手段と
を含むことを特徴とする、前記デバイス（１００、２００、２００ａ〜２００ｃ）。
【請求項２】
前記通信手段（１２０〜１２８）がさらに、開放の要求後に音声及び／又は視覚によって離れたサイトとの通信を確立して実行する手段を含むことを特徴とする、請求項１に記載のデバイス（１００）。
【請求項３】
前記デバイス（１００）がさらに、通信ネットワークを介して中央サイト又は別のサイトへ該デバイス（１００）の位置を知らせるために設けられたジオロケーション手段（１３２）を含むことを特徴とする、請求項１又は２に記載のデバイス（１００）。
【請求項４】
前記デバイスがさらに、該デバイス（１００）の近くに位置する装置へ無線接続する手段（１３４）を含むことを特徴とする、請求項１〜３のいずれか一項に記載のデバイス。
【請求項５】
前記デバイスがさらに、音声及び／又は視覚コンテンツの放映手段（１２０、１２２、１２４、１３０）を含むことを特徴とする、請求項１〜４のいずれか一項に記載のデバイス。
【請求項６】
少なくとも１つの区画（１０２〜１０６）が、装置が前記区画（１０２〜１０６）内に配置されているときに該装置の作動を確認する手段（１１０〜１１４）を含むことを特徴とする、請求項１〜５のいずれか一項に記載のデバイス。
【請求項７】
前記確認手段（１１０〜１１４）が、離れた管理サイトに前記装置の作動状態を知らせるために設けられたシグナリングモジュール（１１６）に接続されていることを特徴とする、請求項６に記載のデバイス。
【請求項８】
前記応急手当用機器が第一区画（１０２〜１０６）内に配置された除細動器を含むことを特徴とする、請求項１〜７のいずれか一項に記載のデバイス。
【請求項９】
前記応急手当用機器が第二区画（１０２〜１０６）内に配置された消火器及び／又は防火用毛布を含むことを特徴とする、請求項１〜８のいずれか一項に記載のデバイス。
【請求項１０】
前記デバイス（１００）が公共の場所に配置された端末（２００）の形態で提供されることを特徴とする、請求項１〜９のいずれか一項に記載のデバイス（１００）。
【請求項１１】
応急手当用機器へのアクセスシステム（３００）であって、以下：
−  非常用と呼ばれるサイトにそれぞれ配置されている、請求項１〜１０のいずれか一項に記載の応急手当用機器へのアクセスのための複数のデバイス（２００ａ〜２００ｃ）と、
−  前記非常用サイトから離れた、中央と呼ばれるサイトに配置された通信手段（３０６）であって、少なくとも１つの通信ネットワーク（３０４）を介して前記非常用デバイス（２００ａ〜２００ｃ）に接続された前記通信手段（３０６）と、及び
−  要求後に非常用デバイスの場所の開放を遠隔制御する手段（３０８）と
を含む、前記システム（３００）。
【発明の詳細な説明】
【発明の詳細な説明】
【０００１】
本発明は、所定の場所に配置されるように備えられた援助及び非常用の機器（item of equipment；materiel）へのアクセス用デバイスに関する。本発明は、かかるデバイスの実装システムにも関する。
【０００２】
《発明の分野》
本発明の分野は非常用装置へのアクセス可能性（access；accessibilite）の分野であり、より詳細には、あらゆるタイプの公共の場所で公衆が利用可能である非常用機器へのアクセス用端末（terminals；bornes）の分野である。
【０００３】
《従来技術》
現在、除細動器などの非常用装置（emergency response equipment；appareils de secours）を公衆に利用可能とする幾つかの解決法がある。例えば、有資格者の緊急隊員によるインターベンション（intervention；intervention）を待ちながら、患者（individual；sujet）の生命維持機能を守りあるいは火災などの事象によって引き起こされたダメージを低減するために、応急手当の行動が必要不可欠である。
【０００４】
公共機関は、死亡率及び事故率を低下させるために、一般公衆の非常用装置へのアクセス可能性を改善して上記のような機器及び／又は緊急援助を必要としている患者に対するインターベンションの時間（speed；temps）及び質を向上させたいと考えている。応急手当を施すまでのインターベンションの時間が短ければ短いほど、生命維持機能を保護できる可能性が高まる。
【０００５】
しかしながら、インターベンションの時間を短くすることは、一般公衆に対する非常用機器の存在及び非常用機器へのアクセス容易性に関連している。さらに、応急手当用機器（first emergency response equipment；materiel de premier secours）は様々な種類のものから構成されていなければならず、例えば、火傷止めキット、防火用毛布、消火器、除細動器などを含んでいなければならない。実際に、保持する必要のある緊急のインターベンション（emergency equipment；intervention d'urgence）がどのような種類であるかを予測することはできないし、インターベンションの場所（location of use；lieu d'intervention）も予測することはできない。
【０００６】
さらに、様々な種類の非常用機器への一般公衆によるアクセス可能性は、攻撃及び種々の破壊行為（acts of vandalism；actes de vandalisme）に対する、しばしば費用のかかる、この機器の監視、保守及び防備の問題を提起する。
【０００７】
現在までのところ、非常用機器を保護しかつその機能性を保証しながら、公衆が機器を利用することができるように適合させた非常用機器へのアクセス用デバイスは存在しない。
【０００８】
本発明の目的はこれらの不都合を克服することである。
【０００９】
本発明の別の目的は、悪意にもとづく行為から応急手当用機器を守りながら、様々な種類の前記応急手当用機器へのアクセス用デバイスを提供することである。
【００１０】
最後に、本発明の別の目的は、応急手当用機器の使用へのより良好なアクセスを提供することである。
【００１１】
《発明の概要》
本発明は、非常用サイトと呼ばれる所定の場所に配置されるように備えられた、非常用機器へのアクセス用デバイスであって、以下：
−  少なくとも２つの区画（compartment；compartiment）であって、それらの各々が少なくとも１つの非常用機器を収容するように設けられかつ独立して開放されることができるように配置されている、前記区画と、
−  少なくとも１つの前記区画の開放を要求するための、中央サイトと呼ばれる離れたサイトとの通信手段と、及び
−  各区画が他から独立して開放されることができるように遠隔でかつ独立に制御されることができる、前記区画の各々に対する施錠手段と
を含むことを特徴とする、前記アクセス用デバイスによって前記目標を達成することができる。
【００１２】
このように、本発明に係るデバイスは区画内に位置する非常用機器へ選択的にアクセスすることを可能にする。
【００１３】
さらに、一般公衆の非常用機器へのアクセスは緊急の各場合に特定の方法によって、要求に応じて承認後に実現される。各区画は他から独立して開放されることができるので、目標の方法で非常用機器を解放することができる。
【００１４】
つまり、非常用機器は、通常は閉じられており要求に応じてのみ開放される区画内に保管される。このように、非常用機器は破壊行為から守られる。
【００１５】
開放が遠隔制御されることができる施錠手段は、少なくとも１つの電磁石、スライドラッチ（sliding striker；gache coulissante）、鉤状ラッチ（hooked striker；gache crochetee）、傾斜ラック（pivoting catch；cremaillere basculante）を含んでいることができる。
【００１６】
有利には、少なくとも1つの区画は除細動キットを収容するために設けられており、そして少なくとも１の他の区画は消火手段を収容するために設けられている。
【００１７】
本発明のデバイスのとりわけ有利な形態によれば、前記通信手段は開放の要求後に音声及び／又は視覚による中央サイトとの通信、さらにとりわけ、離れたサイトに位置するオペレータとのリアルタイムの通信、を確立して実行する手段をさらに含んでいることができる。
【００１８】
このように、通信手段はやり取り（exchange；echange）のときにリアルタイムでオペレータを見ることを可能にする１又は２以上の画面、オペレータがリアルタイムでユーザを見ることを可能にする１又は２以上のカメラ、並びにユーザがリアルタイムでオペレータと話すことを可能にする１又は２以上のラウドスピーカー及び１又は２以上のマイクロフォンを含んでいることができる。通信を確立する手段は、電気通信ネットワークを介した有線手段又は無線手段を含んでいることができる。
【００１９】
このようにユーザは望ましい非常用機器へのアクセスのときにオペレータとコンタクトしてオペレータによるアシストを受ける。このようにして、オペレータは緊急時にユーザにリアルタイムで指示を与えることができ、このことはユーザを安心させそして冷静にさせることができ、ユーザが非常用機器をより良く使用することを可能にする。
【００２０】
さらに、オペレータは、プロの救急サービスを呼ぶなどの所定の行為からユーザを免除することができるので、行うべき行動にユーザをより良く集中させることができる。
【００２１】
有利には、本発明に係るデバイスはさらに、通信ネットワークを介して中央サイト又は別のサイトへ前記デバイスの位置を知らせるために設けられたジオロケーション手段を含んでいることができる。
【００２２】
さらに、本発明に係るデバイスは、該デバイスの近くに位置する装置へ無線接続する手段を含んでいることもできる。かかる接続手段は、とりわけ、非常用装置の使用に関する情報などのあらゆるタイプのコンテンツをこの装置に送信するために、例えば、いわゆるＷｉ−ｆｉ、Ｂｌｕｅｔｏｏｔｈ、及び他の接続を含んでいることができる。
【００２３】
この特性（specific capability；specificite）によって、所定のアドレスに到達するための方向の情報に関するコンテンツにより位置の確保が可能となる。このように、本発明に係るデバイスは、道に迷った人（people who are lost；des personnes qui se sontperdues）に援助を与えることも可能である。
【００２４】
本発明に係るデバイスはさらに、画面又はラウドスピーカーを介した音声及び／又は視覚コンテンツの放映手段（means of broadcasting；moyens de diffusion）を含んでいることができる。
【００２５】
デバイスは非常用サイトにコンテンツの保存手段を含んでいることができる。
【００２６】
コンテンツは有線又は無線の通信ネットワークを通して中央サイト又は別の離れたサイトから送信されることができる。
【００２７】
有利には、デバイスの少なくとも１の区画は、装置が前記区画内に配置されているときに該装置の作動を確認する手段を含んでいることができる。
【００２８】
特別かつ非限定的な実施形態によれば、除細動器はその作動状態を示すことを可能にする少なくとも１のライトを備えている。そして、前記区画は、このライトをモニターして除細動器の作動状態をリアルタイムで決定するように位置決めされた光センサー又は他のものを備えていることができる。
【００２９】
さらに、前記確認手段は、離れた管理サイトに前記装置の作動状態に関する信号を送るために設けられたシグナリング（signalling/monitoring；signalisation）モジュールに接続されていることができる。
【００３０】
第一の実施形態によれば、前記モニタリングモジュールはリアルタイムで作動状態を示すことを可能にする。
【００３１】
別の実施形態によれば、前記モニタリングモジュールは前記確認手段によって送られる情報を分析し作動不良又は作動不全の状態だけを知らせるのに適している。
【００３２】
さらに別の実施形態によれば、非常用装置の作動状態を知らせるように遠隔で前記モニタリングモジュールに問い合わせることができる。
【００３３】
このように、本発明に係るデバイスは、前記区画内に位置する非常用機器が良好に作動して緊急時に実際に役立つことができることを保証することができる。
【００３４】
除細動手段は除細動器を含んでいることができる。除細動器は適当なカバー内に配置されていることができる。
【００３５】
前記消火手段は、消火器及び／又は防火用毛布並びに火傷止め又は火傷治療用の製品を備えていることができる。
【００３６】
特定の実施形態において、本発明に係るデバイスは、公共の場所に配置された端末の形態で提供されることができる。
【００３７】
この端末は、実装される機能に基づいて、非網羅的に（non-exhaustively；de maniere non exhaustive）以下：
−  様々な区画を含むベース、
−  緊急呼び出しボタン、
−  少なくとも１つのラウドスピーカー及びマイクロフォン、
−  カメラ、
−  端末の両側に垂直に配置された２の画面／ＬＣＤパネル（LCD flat screens；ecrans/dalles LCD）（バンダルプルーフ）、
−  離れたサイトとの通信を可能にする通信ネットワークへの無線接続用の少なくとも１のアンテナ、
−  近くに位置する装置（local appliance；appareil se trouvant a proximite）へのＷｉ−ｆｉ又はＢｌｕｅｔｏｏｔｈによる無線接続用の少なくとも１のアンテナ、及び
−  電子及び／又はコンピュータ通信用のインターフェース
を含んでいることができる。
【００３８】
本発明の別の側面によれば、非常用機器へのアクセスシステムであって、以下：
−  非常用サイトと呼ばれるサイトにそれぞれ配置された、本発明に係る非常用機器へのアクセス用の複数のデバイス、
−  前記非常用サイトから離れた、いわゆる中央サイトに配置された通信手段であって、少なくとも１の通信ネットワークを介して前記非常用デバイスと接続されている前記通信手段
を含む、前記アクセスシステムが提供される。
【００３９】
中央サイトはさらに、要求後に非常用デバイスの区画の開放を遠隔制御する手段を含んでいる。
【００４０】
本発明の他の利点及び特徴は、何ら限定的でない実施形態の詳細な記載、及び添付の図面：
−  図１は本発明に係るデバイスのブロック図であり；
−  図２は端末の形態で示される本発明に係るデバイスの概略図であり；
−  図３は本発明に係る複数のデバイスを実装する本発明に係るシステムの概略図である、
を検討すれば明らかとなるであろう。
【００４１】
図中、幾つかの図に共通する要素は同じ参照番号を有する。
【００４２】
図１は本発明に係る応急手当用機器へのアクセス用デバイス１００の一例を示すブロック図である。
【００４３】
デバイス１００は、例えば、除細動器、消火器などの、非常用機器を収容するように設けられた３つの区画１０２、１０４及び１０６を含む。
【００４４】
区画はそれぞれ施錠されている。区画はそれぞれ、区画１０２〜１０６に接続された管理モジュール１０８によって、選択的かつ個別に、遠隔から開放されることができる。管理モジュールは、遠隔制御されることができる各区間１０２〜１０６の施錠手段（図示せず）に接続されている。これらの施錠手段は、例えば、電磁シリンダ（cylinders；verins）又は電磁石を用いた電気的施錠手段を含んでいることができる。これらのタイプの施錠手段は当業者に公知である。
【００４５】
各区画１０２〜１０６は、該区画１０２〜１０６内に配置された装置の作動に関する信号をキャッチするために区画１０２〜１０６内に配置されたセンサー１１０〜１１４をそれぞれ備えている。センサー１１０〜１１４は、各区画内に配置された装置のそれぞれの作動状態を個別に常時知らせることができるシグナリングモジュール１１６に接続されている。
【００４６】
デバイス１００はさらに、離れたサイトへの呼び出しを行うことができる通信モジュール１２０に接続された呼び出しボタン１１８を備えている。
【００４７】
デバイス１００はさらに、通信モジュールによって管理される少なくとも１の表示画面１２２、少なくとも１のラウドスピーカー１２４、少なくとも１のマイクロフォン１２６及び少なくとも１のカメラ１２８を備え、本明細書の以下において中央サイトと呼ばれる離れたサイトに位置するオペレータとのリアルタイムでのオーディオビジュアル通信を確立して実行する。
【００４８】
表示画面１２２及びラウドスピーカー１２４はさらに、リアルタイムで放映されるか又は記憶手段１３０内に予め記録されていることができるコンテンツを放映するべく配置される。
【００４９】
デバイス１００はさらに、該デバイス１００の位置に関するデータを決定し送信することを可能にするジオロケーションモジュール１３２を備えている。
【００５０】
さらに、デバイス１００は、記憶手段１３０内に記録されたコンテンツをダウンロードするためにＷｉｆｉ、Ｂｌｕｅｔｏｏｔｈ又は他の接続を介してデバイス１００の近くに位置する装置へ接続するモジュール１３４も含んでいる。かかるモジュール１３４は、ルートデータ（route data；donnees d'itineraires）又は他へアクセスするために当該装置に対してインターネット型のネットワークへの接続ポイントとしても働く。
【００５１】
最後に、デバイス１００は、通信を管理するインターフェース１３６及び電波によるネットワーク通信を介した中央サイトと又は近くに位置する装置と交換される信号の受送信のためのアンテナ１３８を備える。このように、図１に示す例において、管理インターフェース１３６は、共通の（common；commune）アンテナ１３８、通信モジュール１２０、ジオロケーションモジュール１３０、近くへの接続（local connection；connexion de proximite）モジュール１３４、シグナリングモジュール１１６及び区画１０２〜１０６の開放の管理モジュール１０８に接続されている。管理インターフェース１３６は、アンテナ１３８によって受けた様々な信号を様々なモジュールへ導きかつ様々なモジュールによって発信された信号をアンテナ１３８に伝えることを可能にする。
【００５２】
次に、デバイス１００の作動を説明する。
【００５３】
緊急の事態がデバイス１００の近くで生じたとき、ユーザは呼び出しボタン１１８を作動させる。呼び出し信号は通信モジュール１２０、次いで管理インターフェース１３６によって管理されそしてアンテナ１３８から中央サイトに向けて発信される。アンテナ１３８、インターフェース１３６及び通信モジュール１２０を用いることによってデバイス１００と中央サイトとの間にオーディオビジュアル通信が確立される。そしてマイクロフォン１２６を用いて、ユーザは、画像が表示画面１２２に表示されるオペレータに話しかけることができる。ユーザは、ラウドスピーカー１２４によってオペレータの声を聞くこともできる。オペレータは、カメラ１２８によってユーザを見ることもできる。
【００５４】
そして、ユーザは自分が呼び出した理由及び応急手当を行うのに必要な機器をオペレータに示す。
【００５５】
そして、オペレータは関係する区画についての情報を含む開放信号を送信する。この信号はアンテナ１３８によって次いで管理インターフェース１３６によって受信される。管理インターフェース１３６は管理モジュール１０８に区間１０２〜１０６を開放する信号を送信する。モジュール１０８は受信するとその開放信号を分析し、区画が開放されることを決定して区画の開放を開始する。
【００５６】
そして、ユーザは区画内に位置する機器へアクセスできるようになりそれを使用することができる。その間に、オペレータはユーザの代わりに救急隊に急を知らせるとともにユーザを安心させ、落ち着かせそして援助することができる。このようにして、ユーザは応急手当の行動に完全に集中することができる。
【００５７】
さらに、デバイスの位置を決定するために、オペレータは位置データを受信するための要求を送信する。この要求はアンテナ１３８によって、次いで管理インターフェース１３６によって受信される。管理インターフェース１３６はジオロケーションモジュール１３２へこの要求を送信する。この要求に応答して、ジオロケーションモジュール１３２は位置データを送信し、これは管理インターフェース１３６、次いでアンテナ１３８から中央サイトへ送信される。
【００５８】
デバイス１００が用いられないとき、記憶手段に記憶されたコンテンツは画面１２２及びラウドスピーカー１２４を介して放映される（disseminated；diffuses）。
【００５９】
さらに、記憶されたコンテンツは、近くへの接続用モジュール１３４によって保証された、とりわけ、Ｂｌｕｅｔｏｏｔｈ又はＷｉ−ｆｉ接続によってデバイス１００の近くに位置する装置へ移行されることもできる。
【００６０】
このコンテンツは、ルートデータ、一般公衆の非常用機器の使用に対する訓練データ、オーディオビジュアルコンテンツ又は他のものに関することができる。
【００６１】
さらに、各区画１０２〜１０６は、該区画１０２〜１０６内に配置された装置、例えば、除細動器、の作動に関する信号を感知するように配置されたセンサー１１０〜１１４を備える。
【００６２】
これらのセンサー１１０〜１１４によって感知された信号はシグナリングモジュール１１６に移され、該モジュール１１６はこれらの信号を分析して区画１０２〜１０６内に配置された装置の作動状態を決定することができる。モジュール１１６は、一定の間隔で、中央サイトに、区画１０２〜１０４内に位置する装置の作動状態に関するデータを送信する。
【００６３】
各区画１０２〜１０６は気密性であり、破壊行為に耐性の材料から形成されている。各区画は鋼鉄製又は波形ステンレス製（produced from stainless steel or in corrugated steel；realise en acier ou en inoxstries）であることができ、鋼鉄（stainless steel；acier）には錆止めの前処理が施されている。各区画は１又は２以上の漏れのない継ぎ目（seals；joints etanches）を含んでいることができる。
【００６４】
図２は、端末２００の形態で表された本発明に係るデバイスの概略図である。
【００６５】
この端末２００は、該端末の側面に垂直に配置された４６インチ（すなわち、１０５ｃｍ×６０ｃｍ）型のＬＣＤ画面１２２を備えている。画面１２２の下部は地表から１１０ｃｍの高さに位置する。さらに、呼び出しボタン１１８は１０５ｃｍの高さに設けられている。端末２００は、その上部の高さに配置されかつ支柱２０４によって支えられたシールド２０２によって悪天候から保護される。上部シールド２０２は、前記端末の一部に電気を供給することを可能にする１又は２以上の太陽光発電パネル２０６を取り入れた屋根の形態で示されている。
【００６６】
前記端末はさらに、屋根２０２上に配置されて該端末２００の場所を夜間に照らすことができるＬＥＤ２０８を含んでいる。前記端末は回転灯２１０も備えている。
【００６７】
端末は、該端末２００を地表に設置することを可能にする「台（plate；platine）」と呼ばれる基礎２１２をその下部に備えている。滑り止めを施した表面被覆２１４が端末２００の周囲に配されている。
【００６８】
さらに、画面１２２は、ユーザが端末２００及び／又は画面１２２と相互作用することができるように配置されたタッチ領域２１６及び制御ボタン２１８を備えている。
【００６９】
図３は本発明に係るシステム３００を示す。
【００７０】
システム３００は中央サイトに位置する中央モジュール３０２を備える。該システムはさらに、限定的ではなく、３ヶ所の非常用サイトに配置された公共の非常用機器へのアクセスのための３つの端末２００ａ〜２００ｃを備えている。中央モジュール３０２は、無線通信ネットワーク３０４を通して非常用の各端末２００ａ〜２００ｃと接続される。
【００７１】
中央モジュール３０２は、非常用サイトに位置したユーザと中央サイトに位置した１又は２以上のオペレータとの間でリアルタイムのオーディオビジュアル通信を行うことを可能にするオーディオビジュアル通信手段３０６を備えている。中央モジュールはさらに、端末２００ａ〜２００ｃの区画を開放する要求を送信する手段３０８を備えている。
【００７２】
もちろん、本発明は上記詳細に述べた実施例に限定されるものではない。
【図１】
2013526118.tif 000003
【図２】
2013526118.tif 000004
【図３】
2013526118.tif 000005
【国際調査報告】
2013526118.tif 000006
2013526118.tif 000007
2013526118.tif 000008
2013526118.tif 000009
2013526118.tif 000010
2013526118.tif 000011